(57)【要約】【課題】装置内への外来の電磁波の漏れおよび装置内で発生する電磁波の外部への漏れを確実に防止できること。【解決手段】表示窓１２ａを有する筐体１２の内壁に設けられ、筐体１２を介した電磁波を遮蔽する電磁波遮蔽膜１５と、表示窓１２ａに設けられた光透過性部材１６ｂの内壁に設けられ、表示用透明部材１４と光透過性部材１６ａとを介した電磁波を遮蔽する光透過性のある電磁波遮蔽膜１６ａと、を備え、この電磁波遮蔽膜１５と電磁波遮蔽膜１６ａとを電気的に接続する。【選択図】        図３
2006078699.tif 000002
【特許請求の範囲】
【請求項１】
表示窓を有する筐体の内壁に設けられ、該筐体を介した電磁波を遮蔽する遮蔽膜と、
前記表示窓に設けられた表示用透明膜の内面に設けられ、光透過性を有し該表示用透明膜を介した電磁波を遮蔽し、前記遮蔽膜と電気的に接続された光透過性遮蔽膜と、
を備えたことを特徴とする表示装置。
【請求項２】
前記遮蔽膜と前記光透過性遮蔽膜との間隙を覆い、前記遮蔽膜と前記光透過性遮蔽膜とを電気的に接続する導電部材を備えたことを特徴とする請求項１に記載の表示装置。
【請求項３】
前記導電部材は、前記表示用透明膜を前記表示窓に固定する固定部材であることを特徴とする請求項２に記載の表示装置。
【請求項４】
前記表示用透明膜は、
前記表示窓の枠内に嵌められる第１の透明膜と、
前記第１の透明膜の内側から前記表示窓に固定され、前記表示窓を覆う第２の透明膜と、
を備え、前記光透過性遮蔽膜は、前記第２の透明膜の前記表示窓に固定される側の裏面に設けられたことを特徴とする請求項１〜３のいずれか一つに記載の表示装置。
【請求項５】
前記光透過性遮蔽膜は、前記表示用透明膜の内壁に設けられたことを特徴とする請求項１〜３のいずれか一つに記載の表示装置。
【請求項６】
前記光透過性遮蔽膜は、インジウム−錫合金酸化膜であることを特徴とする請求項１〜５のいずれか一つに記載の表示装置。
【請求項７】
前記光透過性遮蔽膜は、金属メッシュであることを特徴とする請求項１〜５のいずれか一つに記載の表示装置。
【請求項８】
所定の電波を介し、被検体内のカプセル型内視鏡から該被検体内の画像データを受信する受信手段を備えたことを特徴とする請求項１〜７のいずれか一つに記載の表示装置。
【発明の詳細な説明】
【技術分野】
【０００１】
この発明は、入力された情報を画面表示できる表示機能を備えた表示装置に関し、特に外来の電波の装置内への漏れおよび装置内から外部への電磁波の漏れを防止できる表示装置に関するものである。
【背景技術】
【０００２】
近年、内視鏡分野においては、撮像機能と無線通信機能とが設けられた飲込み型の内視鏡であるカプセル型内視鏡が提案され、このカプセル型内視鏡を用いて被検体内の画像データを取得するカプセル型内視鏡システムが開発されている。このカプセル型内視鏡は、観察（検査）のために被検体の口から飲込まれた後、この被検体から自然排出されるまでの間、この被検体内たとえば胃または小腸等の臓器の内部をその蠕動運動に従って移動するとともに、所定間隔たとえば０．５秒間隔でこの被検体内を撮像するように機能する。
【０００３】
カプセル型内視鏡が被検体内を移動する間、このカプセル型内視鏡によって撮像された被検体内画像データは、順次無線通信によって外部の受信装置に送信される。この受信装置は、無線通信機能とメモリ機能とを有し、所定の電波を介してこのカプセル型内視鏡から被検体内画像データを順次受信し、受信した被検体内画像データをメモリに順次格納する。被検体は、この受信装置を携帯することによって、カプセル型内視鏡を飲込んでから自然排出するまでの間に亘り、自由に行動できる。カプセル型内視鏡が被検体から自然排出された後、医者もしくは看護士においては、ワークステーション等を用い、カプセル型内視鏡のメモリに格納された被検体内画像データを取得し、取得した被検体内画像データに基づく被検体内の画像たとえば臓器画像をワークステーションのディスプレイに表示させる。医者もしくは看護士は、ディスプレイに表示された臓器画像等を用い、被検体の診断を行うことができる（たとえば特許文献１参照）。
【０００４】
このようなカプセル型内視鏡システムに用いられる受信装置は、一般に、カプセル型内視鏡との無線通信を行う無線通信部と取得した被検体内画像データを順次格納する記憶部とが設けられ、さらに、入力された情報たとえば患者ＩＤまたは検査日時等の被検体の検査に必要な情報等を画面表示する液晶ディスプレイ等の表示部とが設けられる。このような受信装置を用いることによって、医者、看護士、または被検者は、たとえばカプセル型内視鏡が被検体内を移動する間すなわちカプセル型内視鏡が被検体内を撮像する間、被検体の検査に必要な情報または当該受信装置の受信状態等をリアルタイムに確認できる。
【０００５】
【特許文献１】特開２００３−１９１１１号公報
【発明の開示】
【発明が解決しようとする課題】
【０００６】
ところで、上述したカプセル型内視鏡システムの受信装置に例示されるように、外部から取得した情報を画面表示できる表示部を備えた従来の表示装置では、電磁干渉を防止するために、筐体の内側に電磁波遮蔽手段が設けられる。図９は、従来の表示装置の要部断面を模式的に例示する部分断面模式図である。図９に示すように、この従来の表示装置は、筐体５０の所定位置に表示窓５０ａが設けられ、表示窓５０ａの枠内に表示用透明部材５１が設けられる。表示用透明部材板５１に対応する位置には、液晶表示装置（ＬＣＤ）を用いた表示部６０が配置される。表示部６０は、たとえば絶縁材からなるホルダ等を用いて装置内に固定される。筐体５０の内側には、外部または装置内から筐体５０に入射した電磁波を遮蔽する電磁波遮蔽膜５２が形成される。また、表示部６０の表示窓５１に臨む面には、表示用透明部材５１を介して表示部６０側に入射する電磁波または表示部６０から放出される電磁波を遮蔽する電磁波遮蔽膜６１が形成される。この場合、電磁波遮蔽膜６１として、インジウム−錫合金酸化物（ＩＴＯ）等を用いた光透過性のある電磁波遮蔽膜が形成される。
【０００７】
しかしながら、上述した従来の表示装置では、図９に示すように、電磁波遮蔽膜５２と電磁波遮蔽膜６１との間に空隙または絶縁領域等の電気的な間隙（以下、間隙と記す）が存在する場合が多く、電磁波遮蔽膜５２と電磁波遮蔽膜６１との間隙を全て覆う導電面を形成することは困難である。したがって、外来の電磁波または装置内からの電磁波は、たとえば図９の矢印によって示すように、電磁波遮蔽膜５２と電磁波遮蔽膜６１との間隙を介し、外部から装置内に入り込みあるいは装置内から外部に漏れる場合がある。このため、外部と装置内と間の電磁波の漏れを確実に防止することは困難であるという問題点があった。
【０００８】
特に、上述したカプセル型内視鏡システムに用いられる表示機能を備えた受信装置は、微弱な電波を介してカプセル型内視鏡から被検体内画像データを受信するので、装置内から漏れる電磁波に起因し、その受信感度が悪化する場合がある。このため、この受信装置においては、装置内からの電磁波の漏れを確実に防止することが要望されている。
【０００９】
この発明は、上記事情に鑑みてなされたものであって、装置内への外来の電磁波の漏れおよび装置内で発生する電磁波の外部への漏れを確実に防止できる表示装置を提供することを目的とする。
【課題を解決するための手段】
【００１０】
上述した課題を解決し、目的を達成するために、請求項１にかかる表示装置は、表示窓を有する筐体の内壁に設けられ、該筐体を介した電磁波を遮蔽する遮蔽膜と、前記表示窓に設けられた表示用透明膜の内面に設けられ、光透過性を有し該表示用透明膜を介した電磁波を遮蔽し、前記遮蔽膜と電気的に接続された光透過性遮蔽膜と、を備えたことを特徴とする。
【００１１】
また、請求項２にかかる表示装置は、上記発明において、前記遮蔽膜と前記光透過性遮蔽膜との間隙を覆い、前記遮蔽膜と前記光透過性遮蔽膜とを電気的に接続する導電部材を備えたことを特徴とする。
【００１２】
また、請求項３にかかる表示装置は、上記発明において、前記導電部材は、前記表示用透明膜を前記表示窓に固定する固定部材であることを特徴とする。
【００１３】
また、請求項４にかかる表示装置は、上記発明において、前記表示用透明膜は、前記表示窓の枠内に嵌められる第１の透明膜と、前記第１の透明膜の内側から前記表示窓に固定され、前記表示窓を覆う第２の透明膜と、を備え、前記光透過性遮蔽膜は、前記第２の透明膜の前記表示窓に固定される側の裏面に設けられたことを特徴とする。
【００１４】
また、請求項５にかかる表示装置は、上記発明において、前記光透過性遮蔽膜は、前記表示用透明膜の内壁に設けられたことを特徴とする。
【００１５】
また、請求項６にかかる表示装置は、上記発明において、前記光透過性遮蔽膜は、インジウム−錫合金酸化膜であることを特徴とする。
【００１６】
また、請求項７にかかる表示装置は、上記発明において、前記光透過性遮蔽膜は、金属メッシュであることを特徴とする。
【００１７】
また、請求項８にかかる表示装置は、上記発明において、所定の電波を介し、被検体内のカプセル型内視鏡から該被検体内の画像データを受信する受信手段を備えたことを特徴とする。
【発明の効果】
【００１８】
この発明によれば、筐体の内側を覆う一連の導電面を形成でき、外部への情報表示を阻害することなく、筐体内への外来の電磁波の漏れおよび筐体の内側で発生する電磁波の外部への漏れを確実に防止可能な表示装置を実現できるという効果を奏する。
【発明を実施するための最良の形態】
【００１９】
以下、図面を参照して、この発明にかかる表示装置の好適な実施の形態を詳細に説明する。なお、以下では、この発明にかかる表示装置の一例として、無線通信機能と表示機能とを備えたカプセル型内視鏡システムの受信装置を例示する。
【００２０】
図１は、この発明の実施の形態である受信装置を用いたカプセル型内視鏡システムの一構成例を模式的に例示する模式図である。図１に示すように、このカプセル型内視鏡システムは、被検体１００内の通過経路に沿って移動するとともに被検体１００内の像を撮像するカプセル型内視鏡１０１と、カプセル型内視鏡１０１から送信された画像データを受信する受信装置１と、カプセル型内視鏡１０１によって撮像された被検体１００内の画像を表示するワークステーション１０２と、受信装置１とワークステーション１０２との間の情報の受け渡しを行うための携帯型記録媒体１０３とを備える。
【００２１】
カプセル型内視鏡１０１は、被検体内を撮像し得る撮像機能と被検体内を撮像して得られた画像データを外部に送信する無線通信機能とを有する。カプセル型内視鏡１０１は、被検体１００に飲込まれることによって被検体１００内の食道を通過し、消化管腔の蠕動によって体腔内を進行する。これと同時に、カプセル型内視鏡１０１は、被検体１００の体腔内の像を逐次撮像し、得られた被検体１００内の画像データが受信装置１によって逐次受信される。
【００２２】
ワークステーション１０２は、カプセル型内視鏡１０１が撮像した被検体内の画像を表示するためのものであり、携帯型記録媒体１０３によって得られるデータに基づき、被検体１００内の臓器等の画像を表示する。また、ワークステーション１０２は、医者または看護士がカプセル型内視鏡１０１による被検体内の臓器等の画像に基づいて診断を行うための処理機能を有する。
【００２３】
携帯型記録媒体１０３は、受信装置１およびワークステーション１０２に対して着脱可能であって、両者に対する装着時に情報の出力および記録が可能な構造を有する。具体的には、携帯型記録媒体１０３は、カプセル型内視鏡１０１が被検体１００の体腔内を移動している間、受信装置１に装着され、受信装置１がカプセル型内視鏡１０１から受信した被検体１００内の画像データを逐次記憶する。また、携帯型記録媒体１０３は、カプセル型内視鏡１０１が被検体１００から排出された後、受信装置１から取り出されてワークステーション１０２に装着される。この場合、ワークステーション１０２は、装着された携帯型記録媒体１０３から被検体１００内の画像データ等の受信装置１によって記憶されたデータを読み出すことができる。
【００２４】
なお、携帯型記憶媒体１０３として、コンパクトフラッシュ（登録商標）、スマートメディア、メモリスティック、マルチメディアカード、またはＳＤメモリカード等の各種記録メディアが用いられる。このような携帯型記録媒体１０３を用いて受信装置１とワークステーション１０２とのデータの受け渡しを行うことによって、受信装置１とワークステーション１０２とが通信ケーブル等によって有線接続された場合と異なり、被検体１００は、カプセル型内視鏡１０１が被検体１００内を移動中であっても、受信装置１を携帯した状態で自由に行動できる。
【００２５】
受信アンテナ２ａ〜２ｈは、たとえばループアンテナを用いて実現され、カプセル型内視鏡１０１から送信された無線信号を受信する。受信アンテナ２ａ〜２ｈは、図１に示すように、被検体１００の所定の体表たとえばカプセル型内視鏡１０１の通過経路に対応する位置に配置される。また、受信アンテナ２ａ〜２ｈは、受信装置１とそれぞれ電気的に接続され、カプセル型内視鏡１０１から受信した無線信号を受信装置１に送信する。すなわち、受信装置１は、カプセル型内視鏡１０１と受信アンテナ２ａ〜２ｈとの間で送受信される所定の電波を介し、カプセル型内視鏡１０１から被検体１００内の画像データを逐次受信する。
【００２６】
なお、受信アンテナ２ａ〜２ｈは、被検体１００に着用させるジャケットの所定位置に配置されてもよい。この場合、受信アンテナ２ａ〜２ｈは、被検体１００がこのジャケットを着用することによって、被検体１００の所定位置に配置される。また、被検体１００には複数の受信アンテナが配置されればよく、その配置数は特に８つに限定されない。被検体１００に複数の受信アンテナが配置されることによって、受信装置１は、被検体１００内でのカプセル型内視鏡１０１の位置に応じ、無線信号の受信に適した位置のアンテナを介してカプセル型内視鏡１０１から画像データを受信できる。
【００２７】
受信装置１は、入力された情報を画面表示する表示機能と上述したカプセル型内視鏡１０１からの無線信号を受信する無線通信機能とを有し、受信アンテナ２ａ〜２ｈを介してカプセル型内視鏡１０１から受信した無線信号の受信処理を行う。図２は、受信装置１の一構成例を例示するブロック図である。図２に示すように、受信装置１は、被検体内の観察（検査）に必要な情報等を入力する入力部３と、入力部３によって入力された情報等を画面表示する表示部４と、受信アンテナ２ａ〜２ｈの中から無線信号の受信に適したものを選択するアンテナ選択部５と、アンテナ選択部５によって選択された受信アンテナ２ａ〜２ｈのいずれか一つを介してカプセル型内視鏡１０１から受信した無線信号に対して復調等の処理を行う受信回路６と、受信回路６による処理が行われた無線信号に対して被検体１００内の画像データ等を抽出する信号処理部７とを有する。また、受信装置１は、信号処理部７によって抽出された情報の出力等に関して所定の制御を行う制御部９と、画像データ等の抽出された情報を記憶する記憶部１０とを有する。さらに、受信装置１は、受信回路６から入力されたアナログ信号をデジタル信号に変換するＡ／Ｄ変換部８と、受信装置１の各構成部の駆動電力を供給する電力供給部１１とを有する。
【００２８】
入力部３は、複数の入力キーまたはタッチパネル等を用いて実現され、被検体である患者、医者、または看護士等の操作者による入力操作に応じた情報を制御部９に入力する。たとえば、入力部３は、操作者の入力操作に応じ、検査対象の患者を特定する患者ＩＤまたは実行する検査を特定する検査ＩＤ等の被検体への検査に必要な情報を制御部９に入力する。また、入力部３は、操作者の入力操作に応じ、受信装置１の各種動作に関する指示情報たとえばカプセル型内視鏡１０１からの無線信号を受信開始または受信終了する指示情報を制御部９に入力する。
【００２９】
表示部４は、液晶表示装置（ＬＣＤ）、有機ＥＬパネル、またはプラズマディスプレイパネル等の薄型ディスプレイを用いて実現され、制御部９の制御のもと、制御部９から入力された情報を表示する。たとえば、表示部４は、制御部９の制御のもと、検査対象の患者を特定する患者ＩＤまたは実行する検査を特定する検査ＩＤ等の入力部３から入力された被検体への検査に必要な情報を表示する。また、表示部４は、制御部９の制御のもと、受信装置１の受信状態を示す情報たとえばカプセル型内視鏡１０１から問題なく無線信号を受信できたか否かを示す情報を表示する。なお、表示部４は、制御部９の制御のもと、カプセル型内視鏡１０１から受信した画像データに基づく被検体１００内の画像を逐次表示してもよい。
【００３０】
アンテナ選択部５は、被検体１００に複数配置された受信アンテナ２ａ〜２ｈの中からカプセル型内視鏡１０１からの無線信号の受信に適した受信アンテナを選択するように機能する。具体的には、アンテナ選択部５は、制御部９の制御のもと、受信アンテナ２ａ〜２ｈの中から所定の受信アンテナを選択し、選択した受信アンテナを介してカプセル型内視鏡１０１から無線信号を受信する。この場合、アンテナ選択部５は、受信した無線信号を受信回路６に送信する。
【００３１】
受信回路６は、アンテナ選択部５によって選択された受信アンテナを介してカプセル型内視鏡１０１から受信した無線信号に対し、復調等の所定の処理を行うように機能する。この場合、受信回路６は、アンテナ選択部５から入力された無線信号に対して復調等の所定の処理を行い、この所定の処理がなされた無線信号を信号処理部７に送信する。また、受信回路６は、アンテナ選択部５から入力された無線信号の強度に対応するアナログ信号をＡ／Ｄ変換部８に送信する。
【００３２】
信号処理部７は、受信回路１０によって所定の処理が行われた無線信号の中から所定の情報を抽出する。たとえば、受信装置１によって受信される無線信号が撮像機能を有する電子機器から送信される場合には、信号処理部７は、受信回路６から入力された無線信号の中から画像データを抽出する。すなわち、受信装置１がカプセル型内視鏡１０１から無線信号を受信する場合、信号処理部７は、受信回路６から入力された無線信号の中からカプセル型内視鏡１０１による被検体１００内の画像データを抽出する。
【００３３】
制御部９は、各種処理プログラムを実行するＣＰＵ（Central Processing Unit）と、各種処理プログラム等が予め記憶されたＲＯＭと、各処理の演算パラメータ、入力部３から入力された情報、または信号処理部７から入力された画像データ等を記憶するＲＡＭとを用いて実現される。制御部９は、上述したアンテナ選択部５によるアンテナ選択動作を含む受信装置１の各構成部の動作を制御する。具体的には、制御部９は、入力部３または信号処理部７から入力された情報を記憶部１０に転送して記憶させるとともに、Ａ／Ｄ変換部８から入力されたデジタル信号すなわち上述した無線信号の受信強度に対応するアナログ信号をＡ／Ｄ変換したデジタル信号たとえばＲＳＳＩ（Received Signal Strength Indicator：受信信号強度表示信号）に基づき、使用する受信アンテナを決定し、決定した受信アンテナを選択するようにアンテナ選択部５を制御する。
【００３４】
また、制御部９は、信号処理部７またはＡ／Ｄ変換部８から入力された信号たとえば受信強度に対応するデジタル信号をもとに、受信装置１の受信状態を判断し、判断した受信状態を示す情報を表示部４に表示させる。さらに、制御部９は、入力部３から入力された指示情報に基づき、各構成部の動作を制御する。たとえば、制御部９は、カプセル型内視鏡１０１からの無線信号を受信開始する指示情報を入力部３から入力された場合、この指示情報に基づき、この無線信号の受信動作を開始する制御を行う。また、制御部９は、カプセル型内視鏡１０１からの無線信号を受信終了する指示情報が入力部３から入力された場合、この指示情報に基づき、この無線信号の受信動作を終了する制御を行う。
【００３５】
記憶部１０は、制御部９の制御のもと、制御部９から入力された情報たとえば信号処理部７によって抽出された画像データまたは入力部２から入力された情報を記憶する。なお、記憶部１０の具体的構成としては、ＲＡＭまたはフラッシュメモリ等を有することによって記憶部１０自体が情報を記憶するようにしてもよい。しかし、ここでは、記憶部１０は、携帯型記録媒体１０３を着脱可能に装着でき、制御部９の制御のもと、この携帯型記録媒体１０３に対して制御部９から入力された情報を書き込むように機能する。この場合、記憶部１０は、制御部９の制御のもと、装着された携帯型記録媒体１０３から情報を読み出すとともに、この読み出した情報を制御部９に送信してもよい。
【００３６】
電力供給部１１は、受信装置１が被検体１００に携帯された場合であっても受信装置１の各構成部に駆動電力を供給する。なお、電力供給部１１としては、乾電池、リチウムイオン二次電池、またはニッケル水素電池を例示することができる。また、電力供給部１１は、充電式であってもよい。
【００３７】
つぎに、この発明の実施の形態である受信装置１の構造について詳細に説明する。図３は、受信装置１の側断面構造を模式的に例示する側断面模式図である。図３に示すように、受信装置１は、筐体１２の内側に表示部４および回路基板１３が組み込まれる。回路基板１３には、上述したアンテナ選択部５、受信回路６、信号処理部７、Ａ／Ｄ変換部８、制御部９、および記憶部１０が設けられる。なお、図３には示さないが、入力部３を構成する複数の入力キーは、筐体１２の所定位置に設けられ、回路基板１３を介して制御部９と電気的に接続される。また、電力供給部１１は、筐体１２内の所定位置に設けられ、回路基板１３と電気的に接続される。
【００３８】
筐体１２は、ポリカーボネート樹脂またはＡＢＳ樹脂等の絶縁材料を用いて構成され、受信装置１の装置外装を形成する。筐体１２は、図３に示すように、所定位置に表示窓１２ａが形成され、表示窓１２ａの枠内に表示用透明部材１４が設けられる。表示部４は、図３に示すように、表示窓１２ａに対応する位置に配置され、回路基板１３を介して制御部９と電気的に接続される。この場合、表示部４は、回路基板１３に固定されてもよいし、ホルダ等の支持部材を用いて筐体１２に固定されてもよい。表示用透明部材１４は、光透過性のある樹脂またはガラスを用いて実現され、表示部４の画面表示を外部に視認可能にするとともに、外力から表示部４を保護する。
【００３９】
また、筐体１２の内壁には、外部から筐体１２側に放出される外来の電磁波または装置内たとえば表示部４または回路基板１３から筐体１２側に放出される電磁波を遮蔽する電磁波遮蔽膜１５が形成される。電磁波遮蔽膜１５は、銅、ニッケル、アルミニウム、またはクロム等の金属の薄膜を筐体１２の内壁のほぼ全面に形成することによって実現され、回路基板１３のアースに電気的に接続される。
【００４０】
一方、筐体１２の表示窓１２ａ近傍の内壁側縁には、電磁波遮蔽膜１５を介在させて、板状またはフィルム状の電磁波シールド１６が取り付けられる。電磁波シールド１６は、光透過性のある樹脂板または樹脂フィルム等の光透過性部材１６ｂの一面にインジウム−錫合金酸化膜（ＩＴＯ膜）等の光透過性のある電磁波遮蔽膜１６ａを形成することによって実現される。光透過性部材１６ｂは、その表面に形成された電磁波遮蔽膜１６ａを保護する。これによって、電磁波遮蔽膜１６ａは、傷が付き難くなり、さらには破損または断線が起こり難くなる。
【００４１】
また、この取り付けられた電磁波シールド１６の縁近傍には、ガスケット１７が設けられる。図４は、受信装置１の表示窓１２ａ近傍の装置外観を模式的に例示する模式図である。図５は、受信装置１の表示窓１２ａ近傍の側断面構造を模式的に例示する図であって、図４に示す受信装置１のＡ−Ａ線断面模式図である。
【００４２】
電磁波シールド１６は、上述したように、電磁波遮蔽膜１６ａと光透過性部材１６ｂとを有する。電磁波シールド１６は、図４に示すように、表示窓１２ａを覆うように筐体１２の内壁に取り付けられる。具体的には、電磁波シールド１６は、図５に示すように、電磁波遮蔽膜１６ａが表示部４側に臨む状態で光透過性部材１６ｂの縁と筐体１２の表示窓１２ａ近傍の内壁側縁とが接着剤または粘着剤を介して面接触することによって、筐体１２の内壁に取り付けられる。この場合、表示用透明部材１４および光透過性部材１６ｂは、表示部４の画面表示を外部に視認可能にする表示用透明膜を構成する。ここで、電磁波シールド１６は、周知の透明粘着シートまたは透明粘着剤を用いて表示用透明部材１４に固着させてもよいが、表示用透明部材１４との間に空隙が形成された状態で筐体１２の内壁に取り付けられることが望ましい。これによって、表示用透明部材１４と電磁波シールド１６との接触に起因するモアレ現象を防止できる。また、表示用透明部材１４に電磁波シールド１６を固着または当接させる場合は、表示用透明部材１４または電磁波シールド１６の接触面を粗くする等のモアレ現象対策を行うことが望ましい。
【００４３】
なお、光透過性部材１６ｂを構成する樹脂として、ポリメチルペンテン（ＰＭＰ）、ポリスチレン（ＰＳ）、ポリカーボネート（ＰＣ）、またはポリエチレンテレフタレート（ＰＥＴ）が考えられる。また、光透過性部材１６ｂは、光透過性のあるガラスによって構成されてもよい。
【００４４】
ガスケット１７は、導電部材であって、図４に示すように、筐体１２の表示窓１２ａ近傍の内壁側縁に取り付けられた電磁波シールド１６の縁に沿って枠状に設けられる。この場合、ガスケット１７は、図５に示すように、筐体１２の内壁と電磁波シールド１６との取り付け部すなわち筐体１２の表示窓１２ａ近傍の内壁側縁と電磁波シールド１６の縁とを埋めるように設けられる。このように設けられたガスケット１７は、筐体１２の表示窓１２ａ近傍の内壁側縁に電磁波シールド１６の縁を確実に固定できる。これと同時に、ガスケット１７は、電磁波シールド１６の取り付け部の防湿性を実現できる。
【００４５】
ここで、電磁波シールド１６は、上述したように、電磁波遮蔽膜１６ａが表示部４側に臨む状態で筐体１２の内壁に取り付けられる。このため、ガスケット１７は、図５に示すように、筐体１２の表示窓１２ａ近傍の内壁側縁と電磁波シールド１６の縁とを埋めることによって、電磁波遮蔽膜１５と電磁波遮蔽膜１６ａとの間隙を電磁波シールド１６の縁に沿って覆うことができる。この場合、ガスケット１７は、電磁波シールド１６の縁に沿って、電磁波遮蔽膜１５と電磁波遮蔽膜１６ａとの間隙を覆う導電面を形成する。このガスケット１７による導電面は、電磁波遮蔽膜１５による導電面と電磁波遮蔽膜１６ａによる導電面とを連結する境界面である。したがって、電磁波遮蔽膜１５と電磁波遮蔽膜１６ａとガスケット１７とは、筐体１２の内側全体を覆うように、ガスケット１７による導電面を介して電磁波遮蔽膜１５による導電面と電磁波遮蔽膜１６ａによる導電面とが連続する一連の導電面を形成できる。
【００４６】
この一連の導電面の一部を形成する電磁波遮蔽膜１６ａは、ガスケット１７と電磁波遮蔽膜１５とを介し、上述した回路基板１３のアースと電気的に接続される。このようにアースとの電気的な接続がなされた電磁波遮蔽膜１６ａは、外部から表示用透明部材１４側に放出される外来の電磁波または装置内たとえば表示部４または回路基板１３から表示用透明部材１４側に放出される電磁波を遮蔽できる。また、この一連の導電面の一部を形成するガスケット１７は、電磁波遮蔽膜１５を介して回路基板１３のアースと電気的に接続されるので、この電磁波遮蔽膜１６ａの場合とほぼ同様に電磁波を遮蔽できる。さらに、この一連の導電面の一部を形成する電磁波遮蔽膜１５は、上述したように、外部から筐体１２側に放出される外来の電磁波または装置内から筐体１２側に放出される電磁波を遮蔽できる。したがって、この電磁波遮蔽膜１５と電磁波遮蔽膜１６ａとガスケット１７とによる一連の導電面を形成することによって、受信装置１内への外来の電磁波の漏れおよび受信装置１内で発生する電磁波の外部への漏れを確実に防止することができる。この場合、受信装置１は、装置内で発生する電磁波に阻害されることなく、カプセル型内視鏡１０１から無線信号を受信でき、これによって、受信装置１の受信感度を向上させることができる。さらに、受信装置１は、外来の電磁波に起因する誤動作等の悪影響を防止できる。
【００４７】
なお、この発明の実施の形態では、板状またはフィルム状の電磁波シールド１６を筐体１２の内壁に取り付けていたが、この発明はこれに限定されるものではなく、光透過性のある電磁波遮蔽膜が表面に形成された表示用透明部材を筐体１２の表示窓１２ａに設けてもよい。図６は、この発明の実施の形態の変形例である受信装置の表示窓近傍の側断面構造を模式的に例示する側断面模式図である。この受信装置２１は、上述した受信装置１の表示用透明部材１４に代えて表示用透明部材２２が設けられ、ガスケット１７に代えてガスケット２４が設けられる。また、受信装置２１は、電磁波シールド１６が設けられず、表示用透明部材２２の一面に光透過性のある電磁波遮蔽膜２３が形成される。その他の構成は上述した実施の形態と同じであり、同一構成部分には同一符号を付している。
【００４８】
表示用透明部材２２は、光透過性のある樹脂またはガラスを用いて実現され、表示部４の画面表示を外部に視認可能にするとともに、外力から表示部４を保護する表示用透明膜として機能する。表示用透明部材２２は、所定の一面に光透過性のある電磁波遮蔽膜２３が形成される。電磁波遮蔽膜２３は、表示用透明部材２２の表面に対し、ＩＴＯ膜を蒸着しあるいはＩＴＯ膜が表面に形成されたＩＴＯフィルムを貼り合せることによって形成される。表示用透明部材２２は、図６に示すように、電磁波遮蔽膜２３が表示部４側に臨むように表示窓１２ａに取り付けられる。なお、表示用透明部材２２を構成する樹脂として、ポリメチルペンテン（ＰＭＰ）、ポリスチレン（ＰＳ）、ポリカーボネート（ＰＣ）、またはポリエチレンテレフタレート（ＰＥＴ）が考えられる。
【００４９】
ガスケット２４は、導電部材であって、表示窓１２ａの枠と表示用透明部材２２との接触界面に沿って枠状に設けられる。この場合、ガスケット２４は、図６に示すように、筐体１２の表示窓１２ａ近傍の内壁側縁と表示用透明部材２２の電磁波遮蔽膜２３側縁とを埋めるように設けられる。このように設けられたガスケット２４は、表示窓１２ａの枠と表示用透明部材２２との接触界面の防湿性を実現できるとともに、電磁波遮蔽膜１５と電磁波遮蔽膜２３との間隙をこの接触界面に沿って閉じることができる。この場合、ガスケット２４は、この接触界面に沿って電磁波遮蔽膜１５と電磁波遮蔽膜２３との間隙を覆う導電面を形成する。したがって、電磁波遮蔽膜１５，２３およびガスケット２４は、上述した実施の形態の場合とほぼ同様に、回路基板１３のアースと電気的に接続されるとともに筐体１２の内側全体を覆う一連の導電面を形成できる。この一連の導電面を形成することによって、上述した実施の形態の場合とほぼ同様に、受信装置２１内への外来の電磁波の漏れおよび受信装置２１内で発生する電磁波の外部への漏れを確実に防止することができる。この場合、受信装置２１は、装置内で発生する電磁波に阻害されることなく、カプセル型内視鏡１０１から無線信号を受信でき、これによって、受信装置２１の受信感度を向上させることができる。さらに、受信装置２１は、外来の電磁波に起因する誤動作等の悪影響を防止できる。
【００５０】
なお、この発明の実施の形態およびその変形例では、表示用透明部材等の光透過性部材の内壁に設けられた光透過性のある電磁波遮蔽膜と筐体の内壁に設けられた電磁波遮蔽膜とをガスケット等の導電部材を介して電気的に接続していたが、この発明はこれに限定されるものではなく、光透過性部材の内壁に設けずに単体として形成された光透過性のある電磁波遮蔽膜と筐体の内壁に設けられた電磁波遮蔽膜とを電気的に接続してもよい。図７は、単体として形成された光透過性のある電磁波遮蔽膜と筐体の内壁面上の電磁波遮蔽膜とを電気的に接続した構成を有する受信装置１の要部断面を模式的に例示する要部断面模式図である。この受信装置１は、上述した電磁波シールド１６に代えて電磁波遮蔽膜３１が設けられ、ガスケット１７を用いずに電磁波遮蔽膜３１と電磁波遮蔽膜１５とが電気的に接続されている。
【００５１】
図７に示すように、この単体として形成された光透過性のある電磁波遮蔽膜３１は、光透過性のある導電膜たとえばＩＴＯ膜によって実現され、表示窓１２ａの枠に沿うように、その縁部と電磁波遮蔽膜１５とが面接触する。これによって、電磁波遮蔽膜３１と電磁波遮蔽膜１５とは、筐体１２の内側全体を覆う一連の導電面を形成するように電気的に接続される。この場合、電磁波遮蔽膜３１は、図７に示すように、上述したガスケット１７を用いず、たとえば絶縁性の接着剤３２によって筐体１２の内壁に取り付けられる。なお、接着剤３２は、この電磁波遮蔽膜１５と電磁波遮蔽膜３１とを電気的に接続する面接触を阻害しない。
【００５２】
また、単体として形成された光透過性のある電磁波遮蔽膜は、導電性の接着剤を介し、筐体に取り付けられかつこの筐体の内壁面上の電磁波遮蔽膜と電気的に接続されてもよい。図８は、単体として形成された光透過性のある電磁波遮蔽膜と筐体の内壁面上の電磁波遮蔽膜とを導電性の接着剤を介して電気的に接続した構成を有する受信装置１の要部断面を模式的に例示する要部断面模式図である。この受信装置１は、上述した電磁波シールド１６に代えて電磁波遮蔽膜４１が設けられ、上述したガスケット１７に代えて導電性接着剤４２を介して電磁波遮蔽膜４１と電磁波遮蔽膜１５とが電気的に接続されている。
【００５３】
図８に示すように、この単体として形成された光透過性のある電磁波遮蔽膜４１は、光透過性のある導電膜たとえばＩＴＯ膜によって実現され、表示窓１２ａの枠に沿うように、その縁部と電磁波遮蔽膜１５とが導電性接着剤４２を介して面接触する。これによって、電磁波遮蔽膜４１は、筐体１２の内壁面に取り付けられ、かつ筐体１２の内側全体を覆う一連の導電面を形成するように電磁波遮蔽膜１５と電気的に接続される。
【００５４】
なお、この発明の実施の形態およびその変形例では、光透過性のある電磁波遮蔽膜としてＩＴＯ膜を用いていたが、この発明はこれに限定されるものではなく、銅、ニッケル、またはアルミニウム等を用いた所定パターンの金属メッシュを光透過性のある電磁波遮蔽膜として用いてもよい。この金属メッシュである電磁波遮蔽膜は、上述した光透過性部材に形成されることによって、傷が付き難くなり、さらには破損または断線が起こり難くなる。この効果は、上述したＩＴＯ膜である電磁波遮蔽膜の場合よりも顕著に現れる。
【００５５】
また、この発明の実施の形態では、入力部３の入力操作によって被検体への検査に必要な情報を入力していたが、この発明はこれに限定されるものではなく、ワークステーション等の外部のコンピュータとの情報通信を可能にする外部通信インターフェースを設け、外部のコンピュータから被検体への検査に必要な情報をダウンロードするように構成してもよい。
【００５６】
さらに、この発明の実施の形態およびその変形例では、導電部材であるガスケットを介し、筐体内壁の電磁波遮蔽膜と表示用透明膜の内面の光透過性のある電磁波遮蔽膜とを電気的に接続していたが、この発明はこれに限定されるものではなく、ガスケットに代えて接着剤を用い、筐体内壁の電磁波遮蔽膜と表示用透明膜の内面の光透過性のある電磁波遮蔽膜とを電気的に接続してもよい。たとえば、絶縁性の接着剤を用い、表示用透明膜の内面の光透過性のある電磁波遮蔽膜と筐体内壁の電磁波遮蔽膜とを対向させ直に面接触させた状態で筐体内壁にこの表示用透明膜を固定し、この光透過性のある電磁波遮蔽膜とこの筐体内壁の電磁波遮蔽膜とを電気的に接続してもよい。または、表示用透明膜の内面の光透過性のある電磁波遮蔽膜と筐体内壁の電磁波遮蔽膜とを導電性の接着剤を介して対向させた状態でこの導電性の接着剤によって筐体内壁にこの表示用透明膜を固定し、この導電性の接着剤を介して、この光透過性のある電磁波遮蔽膜とこの筐体内壁の電磁波遮蔽膜とを電気的に接続してもよい。
【００５７】
また、この発明の実施の形態およびその変形例では、光透過性のある電磁波遮蔽膜が筐体内壁の電磁波遮蔽膜とガスケットとを介してアースと電気的に接続されていたが、この発明はこれに限定されるものではなく、筐体内壁の電磁波遮蔽膜が光透過性のある電磁波遮蔽膜とガスケット等の導電部材とを介してアースと電気的に接続されてもよいし、光透過性のある電磁波遮蔽膜と筐体内壁の電磁波遮蔽膜とがガスケット等の導電部材を介してアースと電気的に接続されてもよい。
【００５８】
さらに、この発明の実施の形態およびその変形例では、この発明にかかる表示装置の一例として、無線通信機能と表示機能とを備えたカプセル型内視鏡システムの受信装置を例示したが、この発明はこれに限定されるものではなく、この発明にかかる表示装置は、入力された情報を画面表示できる表示機能を備えた表示装置であればよく、たとえば、入力された情報を画面表示するＣＲＴディスプレイ、液晶ディスプレイ、またはプラズマディスプレイ等の各種表示装置は勿論のこと、各種ディスプレイを備えたノート型またはデスクトップ型コンピュータにも適用でき、さらには、所定の電波を介して所望の情報を送受信できる無線通信機能と入力された情報を画面表示できる表示機能とを備えたＰＤＡ、携帯電話、あるいは非接触ＩＣカードリーダライタ等の各種情報機器に適用することもできる。
【００５９】
以上、説明したように、この発明の実施の形態およびその変形例では、筐体の内壁面のほぼ全域に電磁波遮蔽膜を設け、この筐体の表示窓に設けられた表示用透明膜の内面に光透過性のある電磁波遮蔽膜を設け、この筐体またはこの表示用透明膜を介した電磁波を遮蔽するように構成し、さらに、この光透過性のある電磁波遮蔽膜の縁に沿って連続的に、この電磁波遮蔽膜とこの光透過性のある電磁波遮蔽膜とを電気的に接続するように構成した。このため、この電磁波遮蔽膜による導電面とこの光透過性のある電磁波遮蔽膜による導電面とを連続する一連の導電面を形成でき、この一連の導電面によって、この筐体の内側全体を覆うことができる。これによって、筐体側または表示窓側に放出された電磁波を確実に遮蔽することができ、表示用透明膜を介した外部への情報表示を阻害することなく、筐体内への外来の電磁波の漏れおよび筐体の内側で発生する電磁波の外部への漏れを確実に防止可能な表示装置を実現できる。この表示装置は、電磁干渉を確実に防止できるとともに、装置内部から発生する電磁波に起因する人体への悪影響を防止できる。
【００６０】
また、この光透過性のある電磁波遮蔽膜の縁に沿って、この電磁波遮蔽膜とこの光透過性のある電磁波遮蔽膜との間隙を覆う導電部材を設け、この導電部材を介してこの電磁波遮蔽膜とこの光透過性のある電磁波遮蔽膜とを電気的に接続するように構成した。このため、この導電部材による導電面を境界面とし、この電磁波遮蔽膜による導電面とこの光透過性のある電磁波遮蔽膜による導電面とを連続する一連の導電面を確実に形成でき、この一連の導電面によって、この筐体の内側全体を確実に覆うことができる。これによって、上述した作用効果を享受するとともに、筐体の内部または外部への電磁波の漏れをより確実に防止可能な表示装置を実現できる。
【００６１】
かかる構成に加え、外部からの無線信号を受信できる無線通信機能をさらに有するように構成することによって、筐体の内側から発生する電磁波に阻害されることなく外部からの無線信号を良好な状態で受信でき、上述した実施の形態と同様の作用効果を享受するとともに、外部からの無線信号の受信感度を向上できる情報機器を実現することができる。特に、上述したカプセル型内視鏡システムにおいて、比較微弱な電波を介してカプセル型内視鏡から画像データ等を受信する受信装置として好適なものを実現することができる。
【図面の簡単な説明】
【００６２】
【図１】この発明の実施の形態である表示機能を有する受信装置を用いたカプセル型内視鏡システムの一構成例を模式的に例示する模式図である。
【図２】この受信装置の一構成例を例示するブロック図である。
【図３】この受信装置の側断面構造を模式的に例示する側断面模式図である。
【図４】この受信装置の表示窓近傍の装置外観を模式的に例示する模式図である。
【図５】図４に示す受信装置のＡ−Ａ線断面模式図である。
【図６】この発明の実施の形態の変形例である受信装置の表示窓近傍の側断面構造を模式的に例示する側断面模式図である。
【図７】光透過性のある電磁波遮蔽膜の単体と筐体内壁の電磁波遮蔽膜とを電気的に接続した構成を模式的に例示する要部断面模式図である。
【図８】光透過性のある電磁波遮蔽膜の単体と筐体内壁の電磁波遮蔽膜とを導電性接着剤を介して電気的に接続した構成を模式的に例示する要部断面模式図である。
【図９】従来の表示装置の要部断面を模式的に例示する部分断面模式図である。
【符号の説明】
【００６３】
１，２１  受信装置
２ａ〜２ｈ  受信アンテナ
３  入力部
４，６０  表示部
５  アンテナ選択部
６  受信回路
７  信号処理部
８  Ａ／Ｄ変換部
９  制御部
１０  記憶部
１１  電力供給部
１２，５０  筐体
１２ａ  表示窓
１３  回路基板
１４，２２，５１  表示用透明部材
１５，１６ａ，２３，３１，４１，５２，６１  電磁波遮蔽膜
１６  電磁波シールド
１７，２４  ガスケット
３２  接着剤
４２  導電性接着剤
１００  被検体
１０１  カプセル型内視鏡
１０２  ワークステーション
１０３  携帯型記録媒体
【図１】
2006078699.tif 000003
【図２】
2006078699.tif 000004
【図３】
2006078699.tif 000005
【図４】
2006078699.tif 000006
【図５】
2006078699.tif 000007
【図６】
2006078699.tif 000008
【図７】
2006078699.tif 000009
【図８】
2006078699.tif 000010
【図９】
2006078699.tif 000011